(57)【特許請求の範囲】
【請求項１】
家具（４０）用のヒンジ（１）であって、
家具筐体（６）または、当該家具筐体（６）に旋回可能に取り付けられた家具扉（１２）に固定できる内側ヒンジ部（２）と、
外側扉（１３）に固定できる外側ヒンジ部（３）と、
挿入方向にスライド可能であり、前記内側ヒンジ部（２）を前記外側ヒンジ部（３）に下方受領装置（３０ａ）、上方受領装置（３０ｃ）、および中央受領装置（３０ｂ）によって相互に旋回可能に接続する接続装置（４）とを含んでおり、
前記内側ヒンジ部（２）は、前記家具筐体（６）または、当該家具筐体（６）に旋回可能に取り付けられている前記家具扉（１２）に固定できる本体部（５）と、該本体部（５）に、好適には堅牢に取り付けられている上方受領装置（３０ｃ）に対して、前記接続装置（４）の挿入方向に向けてスライド可能に横断する下方受領装置（３０ａ）とを有していることを特徴とするヒンジ。
【請求項２】
前記下方受領装置（３０ａ）は、前記本体部（５）の少なくとも一つのロックポイント（３２ａ、３２ｂ）にてロック要素（７）によってロック可能であることを特徴とする請求項１記載のヒンジ。
【請求項３】
第１のロックポイント（３２ａ）では、前記下方受領装置（３０ａ）は前記内側ヒンジ部（２）の位置に配置されており、前記下方受領装置（３０ａ）は前記上方受領装置（３０ｃ）よりも、前記本体部（５）に対してさらに多く突出していることを特徴とする請求項２記載のヒンジ。
【請求項４】
前記外側ヒンジ部（３）は、前記下方受領装置（３０ａ）に装着できる中央受領装置（３０ｂ）を有しており、前記下方受領装置（３０ａ）は、第１のロックポイント（３２ａ）に配置されることを特徴とする請求項２記載のヒンジ。
【請求項５】
前記少なくとも一つのロック要素（７）は、バネ（２２）によって作用を受け、前記バネ（２２）のために提供された少なくとも一つの凹部（１６）内にラッチ留めされるボール（１５）の形態とすることができることを特徴とする請求項２記載のヒンジ。
【請求項６】
第２のロックポイント（３２ｂ）では、前記下方受領装置（３０ａ）は前記上方受領装置（３０ｃ）と重なり、前記接続装置（４）は両方の受領装置（３０ａ、３０ｃ）を通って押し込むことができることを特徴とする請求項２記載のヒンジ。
【請求項７】
前記接続装置（４）は、前記下方、中央、および上方受領装置（３０ａ、３０ｂ、３０ｃ）を通って挿入されることができ、前記下方受領装置（３０ａ）は前記本体部（５）の第２のロックポイント（３２ｂ）内に配置されることを特徴とする請求項２記載のヒンジ。
【請求項８】
前記接続装置（４）は少なくとも二つの分離した取り付け領域（３５ａ、３５ｂ）を有し
ていることを特徴とする請求項１から７のいずれかに記載のヒンジ。
【請求項９】
前記接続装置（４）は、前記下方受領装置（３０ａ）内と前記中央受領装置（３０ｂ）内でのみ、前記第１の取り付け領域（３５ａ）内の自身の位置に配置されることを特徴とする請求項８記載のヒンジ。
【請求項１０】
前記接続装置（４）は、前記下方受領装置（３０ａ）内、前記中央受領装置（３０ｂ）内、および前記上方受領装置（３０ｃ）内で、前記第２の取り付け領域（３５ｂ）内の自身の位置に配置されることを特徴とする請求項８または９記載のヒンジ。
【請求項１１】
前記接続装置（４）の前記取り付け領域（３５ａ、３５ｂ）は少なくとも一つの拘束装置（２６）によってロック可能であることを特徴とする請求項１から１０のいずれかに記載のヒンジ。
【請求項１２】
前記少なくとも一つの拘束装置（２６）は、バネ（２２）によって作用を受け、前記バネ（２２）のために提供された少なくとも一つの凹部（１６）内にラッチ留めされるボール（１５）の形態でよいことを特徴とする請求項１１記載のヒンジ。
【請求項１３】
請求項１から１２のいずれかに記載のヒンジ（１）を有する家具（４０）。
【発明の詳細な説明】
【技術分野】
【０００１】
本発明は、特に家具用のヒンジに関する。このヒンジは、家具筐体またはこれに旋回可能に取り付けられた家具扉に固定できる内側ヒンジ部と、外側扉に固定できる外側ヒンジ部と、挿入方向にスライド可能であり、内側ヒンジ部を外側ヒンジ部に下方受領装置、上方受領装置、および中央受領装置によって相互に旋回可能に接続する接続装置とを含んでいる。
【背景技術】
【０００２】
この種のヒンジは既に知られており、とりわけ特許出願ＤＥ  ４４４  ２６２５  Ａ１にて開示されている。この種の追加的なヒンジは、ＥＰ  ０５６９  ８１８  Ａ１、ＤＥ  １５  ８４  ００６  Ａ１、およびＤＥ  ４４  ４２  ６２５  Ａ１にて開示されている。これらのヒンジは例えば折り畳み扉が装着された家具に利用されている。折り畳み扉はヒンジによって相互に回転可能に接続されており、折り畳み扉へのヒンジ半分体の接続は、積極ロックまたは強制ロック固定要素によって実行されることが多い。ヒンジは一般的には２部分で形成されており、これらの２部分は接続要素によって相互に回転可能に接続されている。取り付け作業において、折り畳み扉は通常、既に設置された状態の家具筐体に固定される。この場合には、第１の折り畳み扉は家具筐体に取り付けられ、別な折り畳み扉は上説したヒンジによって第１の折り畳み扉から懸吊されている。ヒンジの取り付けは、折り畳み扉の閉じた状態にてそれらを隠すため、折り畳み扉の内側で実行される。装着された折り畳み扉同士間の間隙は、例えば折り畳み扉の閉じた状態にて家具の内部が見えないように、視覚的な理由のため、可能な限り小さくする必要がある。
【０００３】
特に、大型で重い折り畳み扉の場合には、既に家具筐体に固定されている折り畳み扉への折り畳み扉の装着は複雑であることが多い。まず、折り畳み扉を持上げ、整合し、保持し、ヒンジに結合しなければならない。家具を組み立てる作業者は、補助できる第２の作業者がいないときには、ヒンジへ折り畳み扉を結合させる作業中に、整合、保持および同時的に折り畳み扉上でネジ留めしなければならないことが多い。加えて、折り畳み扉を保持して位置合わせすることができるように、折り畳み扉間の非常に狭い間隙に指を挿入することは困難である。これらの弱点の全ては、折り畳み扉の取り付けだけでなく、例えば引っ越しなどで家具を分解しなければならない場合に、その取り外しにも当てはまる。別な作業者または技術的な補助がない場合、例えばヒンジと折り畳み扉との間の積極ロックまたは強制ロック固定要素の設置部が、取り外しの際に損傷しないように常に注意しなければならない。ピンが装着されたヒンジの場合、折り畳み扉は上方からピンに誘導されなければならない。これは折り畳み扉の大きさおよび重量のため、特に扉間の間隙が非常に小さい場合には非常に困難であることが多い。さらに、扉が非常に重く、鋭利な縁部を有している場合、指を傷つける深刻なリスクさえある。
【発明の概要】
【発明が解決しようとする課題】
【０００４】
本発明の目的は、上述の弱点を回避し、従来技術に勝る改良されたヒンジの提供である。このヒンジは、例えば別な作業員または例えば支持装置などの補助手段がなくとも、折り畳み扉の装着を可能にさせるものでなければならない。さらに本発明は、この目的のために、工具を使用する必要なく、折り畳み扉を互いから分離させることを可能にすることを目的としている。これは、持上げ、位置合わせおよびその後のネジ留めまたはピンへの挿入の複雑な手順を回避させることを目的としている。押し込まれた指を結果的に発生する損傷から保護することは、装着作業の簡易性による利点である。
【課題を解決するための手段】
【０００５】
本発明によるヒンジの場合には、内側ヒンジ部は、家具筐体またはこれに旋回可能に取り付けられている家具扉に固定できる本体部と、本体部に、好適には堅牢に取り付けられている上方受領装置に対して、接続装置の挿入方向に対してスライド可能に横断する下方受領装置とを有している。
【０００６】
本発明のさらなる詳細と利点は、従属請求項から明らかとなるであろう。
【０００７】
本発明のさらなる詳細と利点は、図面に示す実施例に関する詳細な説明によって以下で詳説される。
【図面の簡単な説明】
【０００８】
【図１ａ】折り畳み扉が装着された家具筐体を示している。
【図１ｂ】複数のヒンジで接続された折り畳み扉の組み合わせを示している。
【図２】２体の折り畳み扉同士間に取り付けられた状態のヒンジを示している。
【図３】ヒンジの分解斜視図である。
【図４ａ】多様な作業工程における、装着済みのヒンジを備えた折り畳み扉を示している。
【図４ｂ】多様な作業工程における、装着済みのヒンジを備えた折り畳み扉を示している。
【図５ａ】多様な作業工程における、装着済みのヒンジを備えた折り畳み扉を示している。
【図５ｂ】多様な作業工程における、装着済みのヒンジを備えた折り畳み扉を示している。
【図６ａ】多様な作業工程における、装着済みのヒンジを備えた折り畳み扉を示している。
【図６ｂ】多様な作業工程における、装着済みのヒンジを備えた折り畳み扉を示している。
【図７ａ】多様な作業工程における、装着済みのヒンジを備えた折り畳み扉を示している。
【図７ｂ】多様な作業工程における、装着済みのヒンジを備えた折り畳み扉を示している。
【図８ａ】多様な作業工程における、装着済みのヒンジを備えた折り畳み扉を示している。
【図８ｂ】多様な作業工程における、装着済みのヒンジを備えた折り畳み扉を示している。
【発明を実施するための形態】
【０００９】
本発明を、個別の図面に示す例示としての好適実施例によって以下で詳説する。
【００１０】
図１ａは、所定の位置に既に装着されている折り畳み扉１２、１３を備えた家具筐体６を示している。家具筐体６に固定された家具筐体扉１２は、同じまたは別な構造物のヒンジ１で家具筐体に既に旋回可能に固定されている。ヒンジ１の内側ヒンジ部２は、筐体扉１２上に配置されている。外側ヒンジ部３は、別な折り畳み扉である外側扉１３に配置されている。ヒンジ１の数は、折り畳み扉の各自の重量と大きさに従って決定される。内側ヒンジ部２と外側ヒンジ部３は接続装置４によって連結されている。そこには、接続装置４によって折り畳み扉が相互に回転可能に取り付けられている。
【００１１】
図１ｂは、４体のヒンジ１によって互いに接続された筐体扉１２と外側扉１３を示している。折り畳み扉１２、１３はヒンジ１によって相互に旋回可能に取り付けられている。
【００１２】
図２は、筐体扉１２と外側扉１３に設置された状態のヒンジ１を示しており、ヒンジ１は固定部１７によって扉部１２、１３に取り付けできる。この実施例では、固定はネジによって実行されるであろう。ヒンジ１の内側ヒンジ部２は本体部５と下方受領装置３０ａを含んだ直線スライダ８とを含んでいる。直線スライダ８は本体部５によって提供されているガイドアーム３１によって本体部５上で移動でき、下方受領装置３０ａ上の直線スライダ８は、この場合には、その形状によって上方と下方縁部でガイドアーム３１を包囲している。さらに、本体部５は上方受領装置３０ｃを含むストラップ９を構成している。中間ストラップ１８によって特定される、外側扉１３に固定されている外側ヒンジ部３は、内側ヒンジ部２によって提供される、受領装置３０ａと３０ｃとの間のその中央受領装置３０ｂに設置されている。３体の受領装置３０ａ、３０ｂ、３０ｃは接続装置４によって相互に接続されている。
【００１３】
図３は、ヒンジ１の個別部品の分解図である。その上に形成されたガイドアーム３２を備えた本体部５は２つのロックポイント３２ａと３２ｂを有している。引き続き、ロック要素７のボール１５がロックポイント３２ａと３２ｂ内へ係合することができる。内側ヒンジ部２の組み立てられた状態では、ボール１５はバネ２２によってロックポイント３２ａまたは３２ｂ内に直線スライダ８の存在位置に依存して押し込まれる。したがってこれには直線スライダ８の２つの画定された作動領域が関与する。ロック要素７が例えばロックポイント３２ａに配置されているなら、直線スライダ８の下方受領装置３０ａは、上方ストラップ９の上方受領装置３０ｃよりも、内側ヒンジ部２のさらに多く露出した位置に存在する。換言すれば、下方受領装置３０ａは、上方受領装置３０ｃよりも内側ヒンジ部２からさらに突出する。ロック要素７がロックポイント３２ｂに存在しているなら、下方受領装置３０ａは上方受領装置３０ｃの真下に配置される。この場合にはバネ２２のバネ作用力は、直線スライダ８が、例えば外側扉１３と共に外側ヒンジ部３が直線スライダ８の下方受領装置３０ａに装着されている場合でも、その位置からもはや自身によっては解放できない程度に十分に強力である。
【００１４】
接続装置４は２つの取り付け領域３５ａと３５ｂによって特定される。ここでは接続要素４内の凹部の形態である取り付け領域３５ａと３５ｂは、拘束装置２６と協調する。ロック要素７と同様に、拘束装置２６は、バネ２２とボール１５を含んでいる。拘束装置２６は直線スライダの部品であり、接続要素４の凹部の形態である取り付け領域３５ａ、３５ｂに作用する。この場合には、バネ２２のバネ作用力は、折り畳み扉１２と１３によって及ぼされる作用力がそこに作用する場合であっても、接続装置４を所定位置に保持するように十分に強力である。軸受リング２８が、受領装置３０ａ、３０ｂ、３０ｃ間に、さらに良好な軸受けおよびスライド特性によって挿入されている。これは、受領装置３０ａ、３０ｂおよび３０ｃの互いの正確な、換言すれば、上方ストラップ９と直線スライダ８との間の中間ストラップ１８に関して正確な画定位置への正しい位置合わせも提供する。
【００１５】
図４ａは、準備された外側扉１３を備えた準備された筐体扉１２を示しており、ヒンジ１の内側ヒンジ部２は外側ヒンジ部３にまだ接続されていない。これは折り畳み扉１２と１３の組立前の予備取り付け工程を示している。
【００１６】
図４ｂは、未接続状態である、筐体扉１２上の装着された内側ヒンジ部２と外側扉１３上の外側ヒンジ部３を示している。ヒンジ部２、３は折り畳み扉１２、１３に例えば固定部１７に装着されるネジによって装着できる。ヒンジ部２、３の分離可能な形態によって、ヒンジ部２と３を折り畳み扉１２、１３が整合される前に装着することが可能である。この目的のため、扉１２と１３を、例えば、地面または作業面上に横たえた状態でも設置でき、立てた状態にして取り付ける必要がない。ヒンジ部２と３が相互に調和した関係で装着されたとき、次の取り付け工程として、装着された内側ヒンジ部２のそれぞれの直線スライダ８が、内側ヒンジ部２からさらに突出するよう、そのロックポイント３２ａに移動できる。ロック要素７はその位置で直線スライダ８をロックする。接続装置４は、家具を組み立てる作業員の各自の考えで、その取り付け工程においてまだ残されるか、または下方受領装置３０ａ内に既に部分的に装着されることもできる。外側扉１３は、下方受領装置３０ａ上で、挿入された軸受リング２８と共に、上方受領装置３０ｃによって提供される中間ストラップ１８の接触面に適用される。中央受領装置３０ｂが下方受領装置３０ａの上に配置されるとき、折り畳み扉１２と１３は相互に正確に位置合わせされ、第１の取り付け工程が完了する。
【００１７】
図５ａは、相互におおまかに配置されている折り畳み扉１２、１３を示しており、外側扉１３は、家具筐体１２の内側ヒンジ部２上に装着済みの外側ヒンジ部３を有している。
【００１８】
図５ｂは、どのように、中央受領装置３０ｂが、下方受領装置３０ａの上に配置され、接続装置４が下方受領装置３０ａ内に下側から挿入できるかを詳細に示している。折り畳み扉１２と１３間の幅広い間隙Ｘが示されており、外側扉１３の両側部を把持することが可能であるため、外側扉１３を筐体扉１２に対して正確に位置合わせさせることを容易にする。幅広い間隙Ｘのおかげで、接続装置４を外側からアクセス可能に挿入することもできる。この場合には、挟まれた指または手による損傷のリスクは、商業的に通常なヒンジの場合よりも少ない。
【００１９】
図６ａは、ヒンジ１によって相互に位置合わせされている２体の折り畳み扉１２、１３を示しており、外側扉１３はヒンジ１上で支持されており、もはや保持される必要がない。
【００２０】
図６ｂは、接続装置４がその第１の取り付け領域３５ａ内にどのように挿入されたかを示している。接続装置４は、下方受領装置３０ａと中央受領装置３０ｂそれぞれへの接続のおかげで、取り付け領域３５ａで外側扉１３を保持している。図６ａに示すように、複数のヒンジが装着されると、全ての接続装置４を取り付け領域３５ａ内押し込むことができる。拘束装置２６が取り付け領域３５ａの凹部内にラッチ式に係合するときに感じられる抵抗によって、または拘束装置２６のボール１５が取り付け領域３５ａ、３５ｂの凹部内にスライド係合するときに発生するクリック音によって、接続装置４が所望の取り付け領域３５ａ、３５ｂに内に存在することが知れる。
【００２１】
図７ａは、折り畳み扉１２、１３を装着するときの最終取り付け工程の一つを示しており、折り畳み扉１２、１３間の間隙ｙが調節されている。
【００２２】
図７ｂは、引き続くヒンジ１のロックのための間隙ｙの予備調節を詳細に示している。折り畳み扉１２、１３間に所望の間隙を提供するため、接続装置４によって直線スライダ８に接続された、取り付けられた外側ヒンジ部３を備えた外側扉１３は筐体扉１２側に押し付けられている。このように適用された作用力はロック要素７内のバネ作用力を超える。バネ２２によって予備的に押し付けられているロック要素７のボール１５が、この場合にはロックポイント３２ａから滑り出る。直線スライダ８は、ロック要素７のボール１５がロックポイント３２ａ内に収まるまでガイドアーム３１上を移動する。直線スライダ８がロックポイント３２ａ内に拘束されると、中間ストラップ１８の上方受領装置３０ｃと共に直線スライダ８の下方受領装置３０ａが上方ストラップ９の上方受領装置３０ｃに正確に配置される。筐体扉１２と外側扉１３との間の間隙ｙはこのようにして調節され、接続装置４によるロック作用が実現される。
【００２３】
図８ａは、ヒンジ１がロック状態である、組み立てが完了した状態の筐体扉１２と外側扉１３を示している。
【００２４】
図８ｂは、接続装置４がどのようにして受領装置３０ａ、３０ｂ、３０ｃ内に完全に挿入されたかを示している。これは、拘束装置２６と協調関係にある接続要素４の取り付け領域３５ｂを表わしている。したがって外側扉１３の重量は、バネ２２によって予備的に押し付けられているロック要素７のボール１５にはもはやかかっておらず、直線スライダ８の下方受領装置３０ａと協調関係にある上方ストラップ９の受領装置３０ｃと接続装置４との間の接続によって支持されている。
【００２５】
折り畳み扉１２、１３を互いに分離するには、接続装置４を、取り付け領域３５ａ内にラッチ留めされるまで下方に引っ張るだけでよい。その後、外側扉１３を引っ張ることで直線スライダがロックポイント３２ａ内に引き込まれる。このようにして、外側扉１３を、接続装置４の段階的な取り外しによって筐体扉１２から分離できる。
【図１ａ】
0006262855.tif 000002
【図１ｂ】
0006262855.tif 000003
【図２】
0006262855.tif 000004
【図３】
0006262855.tif 000005
【図４ａ】
0006262855.tif 000006
【図４ｂ】
0006262855.tif 000007
【図５ａ】
0006262855.tif 000008
【図５ｂ】
0006262855.tif 000009
【図６ａ】
0006262855.tif 000010
【図６ｂ】
0006262855.tif 000011
【図７ａ】
0006262855.tif 000012
【図７ｂ】
0006262855.tif 000013
【図８ａ】
0006262855.tif 000014
【図８ｂ】
0006262855.tif 000015